(57)【要約】【課題】耐久性を向上させ、屈曲疲労によるコードの断線を防止することが可能なコードブッシングを提供する。【解決手段】コードブッシング１０は、コード３０を挟持して保護するとともに電気製品本体３５内側に位置する内側ブッシング１１と、内側ブッシング１１に外側から係合するとともに、電気製品本体３５外側に位置する外側ブッシング１２とを備えている。内側ブッシング１１は、コード３０に当接するフランジ１３と、フランジ１３から外側ブッシング１２側へ延びるコード保護部１４とを有し、コード保護部１４の外面に、外側ブッシング１２側に向けて小径となる段部１５が設けられて、コード保護部１４が大径部１６と小径部１７とに区画されている。外側ブッシング１２は、フランジ１３に当接する一端部１２ａを有し、外側ブッシング１２は、大径部１６に嵌合するとともに、小径部１７との間に間隙１９が形成される。【選択図】図３
2010009876.tif 000002
【特許請求の範囲】
【請求項１】
電気製品に用いられるコードを保護するとともに、電気製品本体に装着されるコードブッシングにおいて、
コードを挟持して保護するとともに電気製品本体内側に位置する内側ブッシングと、
内側ブッシングに外側から係合するとともに、電気製品本体外側に位置する外側ブッシングとを備え、
内側ブッシングは、内方に位置するとともにコードに当接するフランジと、フランジから外側ブッシング側へ延びるとともにコードに当接するコード保護部とを有し、
コード保護部の外面に、外側ブッシング側に向けて小径となる段部が設けられて、コード保護部が大径部と小径部とに区画され、
外側ブッシングは、内側ブッシングのフランジに当接する一端部を有し、
外側ブッシングは、大径部に嵌合するとともに、小径部との間に間隙が形成されることを特徴とするコードブッシング。
【請求項２】
外側ブッシングに、電気製品本体の縁に嵌め込まれる溝が設けられていることを特徴とする請求項１に記載のコードブッシング。
【発明の詳細な説明】
【技術分野】
【０００１】
本発明は、電気製品に用いられるコードを保護するとともに、電気製品本体に装着されるコードブッシングに係り、とりわけ屈曲疲労によるコードの破断を防止し、コードの耐久性を向上させることが可能なコードブッシングに関する。
【背景技術】
【０００２】
一般に電気製品には、この電気製品に対して電気を供給するためのコードが取り付けられている。しかしながら、電気製品の種類によっては、過酷な使用環境で用いられるものもあり、とりわけ電気製品本体付近におけるコードの屈曲回数が極めて多い電気製品も存在する。このような電気製品に取り付けられるコードは、屈曲疲労によって断線するまでの寿命が短く、断線するたびにコードを交換修理する必要が生じる。
【０００３】
また電気製品本体には、コードを保護するとともに電気製品本体に取り付けるためのコードブッシングが設けられている。しかしながら、従来のコードブッシングを用いた場合、コードブッシング内でのコードの断線を防止することはできるが、コードブッシングの外側端部近傍でコードが極端に曲げられて曲率半径が小さくなってしまうため、この場所でコードが断線しやすいという問題がある。
【特許文献１】特開昭５８−２２２５９７号公報
【発明の開示】
【発明が解決しようとする課題】
【０００４】
特許文献１には、フランジ部とフランジ部外周に取り付けられた筒部とを有するコードブッシングが開示されている。しかしながら、このコードブッシングは、フランジ部と筒部との間に間隙が無く、互いに密着している。このため、結果的にフランジ部周辺でコードの曲率半径が小さくなってしまい、この場所でコードが屈曲疲労して断線するという問題が残されている。
【０００５】
本発明はこのような点を考慮してなされたものであり、従来のコードブッシングと比較して耐久性を向上させ、コードの屈曲疲労による断線を防止することが可能なコードブッシングを提供することを目的とする。
【課題を解決するための手段】
【０００６】
本発明は、電気製品に用いられるコードを保護するとともに、電気製品本体に装着されるコードブッシングにおいて、コードを挟持して保護するとともに電気製品本体内側に位置する内側ブッシングと、内側ブッシングに外側から係合するとともに、電気製品本体外側に位置する外側ブッシングとを備え、内側ブッシングは、内方に位置するとともにコードに当接するフランジと、フランジから外側ブッシング側へ延びるとともにコードに当接するコード保護部とを有し、コード保護部の外面に、外側ブッシング側に向けて小径となる段部が設けられて、コード保護部が大径部と小径部とに区画され、外側ブッシングは、内側ブッシングのフランジに当接する一端部を有し、外側ブッシングは、大径部に嵌合するとともに、小径部との間に間隙が形成されることを特徴とするコードブッシングである。
【０００７】
本発明は、外側ブッシングに、電気製品本体の縁に嵌め込まれる溝が設けられていることを特徴とするコードブッシングである。
【発明の効果】
【０００８】
本発明によれば、外側ブッシングと小径部との間に間隙が形成されているので、コードを屈曲させた場合であっても、コードに応力が集中して曲率半径が極端に小さくなる特定の箇所が存在しない。これにより、コードの屈曲疲労に対する耐久性を向上させ、屈曲疲労によるコードの断線を防止することができる。
【発明を実施するための最良の形態】
【０００９】
以下、本発明の一実施の形態について、図１乃至図４を参照して説明する。
図１は、本実施の形態によるコードブッシングを示す平面図であり、図２は、本実施の形態によるコードブッシングを示す側面図である。図３は、本実施の形態によるコードブッシングを示す水平断面図であり、図４は、本実施の形態によるコードブッシングを示す垂直断面図である。
【００１０】
まず、図１乃至図４により本実施の形態によるコードブッシングの概略について説明する。図１乃至図４に示すコードブッシング１０は、電気製品に用いられるコード３０を保護するとともに、電気製品本体３５に装着されるものである。
【００１１】
コードブッシング１０は、コード３０を挟持して保護するとともに電気製品本体３５の内側に位置する内側ブッシング１１と、内側ブッシング１１に外側から係合するとともに、電気製品本体３５の外側に位置する筒形状の外側ブッシング１２とを備えている。これら内側ブッシング１１および外側ブッシング１２は、いずれも弾力性のある合成樹脂からなることが好ましい。
【００１２】
図３および図４に示すように、内側ブッシング１１は、内方に位置するとともにコード３０に当接するフランジ１３と、フランジ１３から外側ブッシング１２側（すなわち図３および図４の右側）へ延びるとともにコード３０に当接するコード保護部１４とを有している。
【００１３】
このうちコード保護部１４の外面には、外側ブッシング１２側に向けて小径となる段部１５が設けられており、これによりコード保護部１４は、大径部１６と小径部１７とに区画されている。すなわちコード保護部１４の大径部１６は小径部１７より大きい径を有し、フランジ１３は小径部１７より更に大きい径を有する。
【００１４】
他方、外側ブッシング１２は、内側ブッシング１１のフランジ１３に当接する一端部１２ａを有している。また外側ブッシング１２のうち一端部１２ａ近傍には、全周にわたり環状の溝２０が形成されている。さらに外側ブッシング１２の他端部１２ｂ側には、外側ブッシング１２の弾力性を高める蛇腹部１８が形成されている。
【００１５】
図３および図４に示すように、外側ブッシング１２は、一端部１２ａ側でコード保護部１４の大径部１６に嵌合している。さらに外側ブッシング１２とコード保護部１４の小径部１７との間に、全周にわたり間隙１９が形成されている。また外側ブッシング１２の蛇腹部１８とコード３０との間にも、全周にわたり間隙２１が形成されている。
【００１６】
なお、外側ブッシング１２とコード保護部１４の小径部１７との間に間隙１９が形成されていれば良く、コード保護部１４の大径部１６および小径部１７の外周形状は問わない。例えば、大径部１６および小径部１７の外周形状は、円形状、楕円形状、または矩形形状からなっていても良い。
【００１７】
ところで、電気製品本体３５は、凹部３２が形成されるとともに電気製品の筐体を構成する縁３１と、電気製品本体３５底面から突出する一対の突起３３とを有している。そして、上述した外側ブッシング１２の溝２０を電気製品本体３５の縁３１の凹部３２内に嵌め込むことにより、外側ブッシング１２は、コード３０の長手方向に沿って前後に動かないように規制される。他方、内側ブッシング１１のフランジ１３は、電気製品本体３５の一対の突起３３に当接するとともに、外側ブッシング１２の一端部１２ａに当接している。これにより、内側ブッシング１１も、コード３０の長手方向に沿って前後に動かないように規制されている。
【００１８】
次に、このような構成からなる本実施の形態の作用について述べる。具体的には、コード３０が電気製品本体３５に対して屈曲される際の作用について述べる。
【００１９】
図３および図４において、コード３０が電気製品本体３５に対して屈曲される場合を想定する（図４の仮想線参照）。この場合、コード３０のうち電気製品本体３５の外方に位置する部分が電気製品本体３５に対して移動するが、コード３０のうち電気製品本体３５の内方に位置する部分は相対的に電気製品本体３５に対して移動しない。
【００２０】
すなわちコード３０は、まず外側ブッシング１２の他端部１２ｂ内周に当接し、これにより外側ブッシング１２は、コード３０の屈曲方向に沿って曲げられる。この際、外側ブッシング１２が弾力性を有するとともに、外側ブッシング１２の蛇腹部１８とコード３０との間に間隙２１が形成されているので、コード３０が特定の箇所（例えば他端部１２ｂ近傍）のみで屈曲することがなく、この場所でコード３０の曲率半径が小さくなることはない。
【００２１】
一方、電気製品本体３５の縁３１近傍において、コード３０が屈曲することに伴って、フランジ１３のコード保護部１４が屈曲される。この場合、コード保護部１４が大径部１６と小径部１７とに区画されるとともに、外側ブッシング１２とコード保護部１４の小径部１７との間に間隙１９が形成されているので、コード保護部１４の小径部１７がコード３０の屈曲方向に沿って曲げられる。このことにより、コード３０が特定の箇所（例えば小径部１７の近傍）のみで屈曲することがなく、この場所でコード３０の曲率半径が小さくなることはない。
【００２２】
このように、本実施の形態によれば、外側ブッシング１２と小径部１７との間に間隙１９が形成されているので、コード３０を屈曲させた場合であっても、コード３０に、応力が集中して曲率半径が極端に小さくなる特定の箇所が存在しない。すなわちコード３０に加わる屈曲応力をコード３０に沿って分散させている。このことにより、コード３０の屈曲疲労に対する耐久性を向上させ、屈曲疲労によるコード３０の断線を防止することができる。
【図面の簡単な説明】
【００２３】
【図１】本発明の一実施の形態によるコードブッシングを示す平面図。
【図２】本発明の一実施の形態によるコードブッシングを示す側面図。
【図３】本発明の一実施の形態によるコードブッシングを示す水平断面図。
【図４】本発明の一実施の形態によるコードブッシングを示す垂直断面図。
【符号の説明】
【００２４】
１０    コードブッシング
１１    内側ブッシング
１２    外側ブッシング
１３    フランジ
１４    コード保護部
１５    段部
１６    大径部
１７    小径部
１８    蛇腹部
１９    間隙
２０    溝
２１    間隙
３０    コード
３１    縁
３２    凹部
３３    突起
３５    電気製品本体
【図１】
2010009876.tif 000003
【図２】
2010009876.tif 000004
【図３】
2010009876.tif 000005
【図４】
2010009876.tif 000006
【手続補正書】
【提出日】平成21年4月22日(2009.4.22)
【手続補正１】
【補正対象書類名】図面
【補正対象項目名】全図
【補正方法】変更
【補正の内容】
【図１】
2010009876.tif 000007
【図２】
2010009876.tif 000008
【図３】
2010009876.tif 000009
【図４】
2010009876.tif 000010